(57)【要約】【課題】  体型が様々異なる受診者の体型に丁度良くフィットし、隙間やはだけを防止する検診衣を提供する。【解決手段】  本発明の検診衣は、上前身頃及び下前身頃からなる前身頃と、該前身頃に接続する後ろ身頃と、前記前身頃及び前記後ろ身頃の上端に設けられた襟部と、前記前身頃及び前記後ろ身頃の境界の上部に設けられた袖部とを有する検診衣であって、前記襟部の前記上前身頃側の端部に取り付けられた第１の紐と、前記下前身頃に取り付けられた第２の紐と、前記上前身頃に設けられ、前記第２の紐を挿通する第１の開口部と、を備え、前記第１の開口部から突出した前記第２の紐と、前記第１の紐とが前記後ろ身頃の外側又は、前記後ろ身頃の外側で交差されて前記前身頃の外側で結ばれることにより、胴囲を絞るようになっていることを特徴とする。【選択図】図１
2017008440.tif 000002
【特許請求の範囲】
【請求項１】
上前身頃及び下前身頃からなる前身頃と、該前身頃に接続する後ろ身頃と、前記前身頃及び前記後ろ身頃の上端に設けられた襟部と、前記前身頃及び前記後ろ身頃の境界の上部に設けられた袖部とを有する検診衣であって、
前記襟部の前記上前身頃側の端部に取り付けられた第１の紐と、
前記下前身頃に取り付けられた第２の紐と、
前記上前身頃に設けられ、前記第２の紐を挿通する第１の開口部と、
を備え、
前記第１の開口部から突出した前記第２の紐と、前記第１の紐とが前記後ろ身頃の外側又は、前記後ろ身頃の外側で交差されて前記前身頃の外側で結ばれることにより、胴囲を絞るようになっていることを特徴とする前記検診衣。
【請求項２】
請求項１に記載の検診衣であって、
前記上前身頃の内側に取り付けられた第３の紐と、
前記下前身頃の外側に取り付けられた第４の紐とを更に備え、
前記第２の紐と前記第３の紐とが前記上前身頃の内側で結ばれ、前記第１の紐と前記第４の紐とが前記下前身頃の外側で結ばれることを特徴とする前記検診衣。
【請求項３】
上前身頃及び下前身頃からなる前身頃と、該前身頃に接続する後ろ身頃と、前記前身頃及び前記後ろ身頃の上端に設けられた襟部と、前記前身頃及び前記後ろ身頃の境界の上部に設けられた袖部とを有する検診衣であって、
前記襟部の前記上前身頃側の端部に取り付けられた第１の紐と、
前記下前身頃に取り付けられた第２の紐と、
前記上前身頃の内側に取り付けられた第３の紐と、
前記下前身頃の外側に取り付けられた第４の紐と、
前記上前身頃に設けられ、前記第２の紐を挿通する第１の開口部と、
を備え、
前記第１の開口部から突出した前記第２の紐と、前記第１の紐とが前記後ろ身頃の外側又は、前記後ろ身頃の外側で交差されて前記前身頃の外側で結ばれる第１の形態と、
前記第２の紐と前記第３の紐とが前記上前身頃の内側で結ばれ、前記第１の紐と前記第４の紐とが前記下前身頃の外側で結ばれる第２の形態とを選択可能であることを特徴とする検診衣。
【請求項４】
請求項２又は３に記載の検診衣であって、
前記下前身頃と後ろ身頃との境界に前記第４の紐を格納する第２の開口部を有することを特徴とする前記検診衣。
【請求項５】
請求項１から４のいずれか１項に記載の検診衣であって、
前記第１及び第２の紐の長さは前記第３及び第４の紐の長さよりも長いことを特徴とする前記検診衣。
【発明の詳細な説明】
【技術分野】
【０００１】
本発明は、カシュクール型にも甚平型にも変形可能な検診衣に関する。
【背景技術】
【０００２】
医療機関で健康診断や、検査、検診を受ける受診者の体型は様々である。例えば、男性と女性とでは身長や体格が異なるし、やせ型か、標準体型か、肥満型かによっても体型は異なる。医療機関では、受診者の体型のバリエーションに対応するために、従来から男女別やＳ、Ｍ、Ｌ等のサイズ別に検診衣を用意することが一般的である。
【０００３】
しかしながら、従来の男女別やＳ、Ｍ、Ｌ等のサイズ別の検診衣では、対応できる体型のバリエーションが限られており、全ての受診者の体型に丁度良くフィットするものではなかった。医療機関で用意する検診衣のバリエーションを増やそうとすれば、購入等のコストが増加し、検診衣の生産現場では、製造コストが増加するという問題がある。
【０００４】
また、従来の甚平型の検診衣では、検診衣のサイズが受診者の実際の体型と合わない結果、検診中の移動などの動きによって前身頃の打ち合わせ部分に隙間が生じたり、胸部がはだけやすくなったりすることにより、下着を身に付けていない素肌が露出する不安を受診者に与える可能性があった。また、そのようにして生じる隙間やはだけにより、受診者が寒さを感じることもしばしば問題となる。
【０００５】
検診衣のはだけによる不用意な露出を防止するために、特許文献１では、開閉する右前身頃と左前身頃の打ち合わせ部の上端を、右前身頃と左前身頃とが分離不能となるように、開閉しない上方の前身頃に固定している。これにより、左右の前身頃が完全に分離せず、常に左右の前身頃が接続した状態を保つようにしている。
【先行技術文献】
【特許文献】
【０００６】
【特許文献１】特開２００８−０２５０３８号公報
【発明の概要】
【発明が解決しようとする課題】
【０００７】
しかしながら、特許文献１の検診衣は、開閉しない上方の前身頃に左右の前身頃の打ち合わせ部の上端が固定されている構造を有するため、検診衣のサイズは固定され、従来のように男女別やＳ、Ｍ、Ｌ等のサイズ別の検診衣を用意する必要がある。そのため、あらゆる受診者の体型に合わせた検診衣を提供することはできず、複数のサイズを用意するための購入や製造等のコストがかかる点が問題となる。
【０００８】
そこで、本発明は、上記課題を解決し、性別、身長、肥満度等の異なるあらゆる受診者の体型にフィットし、かつ、前身頃の打ち合わせ部分の隙間やはだけを防止する検診衣を提供するものである。
【課題を解決するための手段】
【０００９】
上記課題を解決するため、本発明では、前身頃に取り付けられた紐により胴囲の部分の絞り具合を調整することにより、受診者の胴囲に合わせることが可能なカシュクール型の検診衣を提供する。また、本発明では、同一の形状およびサイズの一枚の検診衣を、着衣時にカシュクール型又は甚平型に変形することが可能な検診衣を提供する。
【００１０】
ここで、カシュクール型とは、和装の着物のように、前身頃が前面で打ち合わせられ、着衣時にウエストの周囲を紐で絞る形態をいう。本発明によるカシュクール型の検診衣では、上前身頃に取り付けられた紐と下前身頃に取り付けられ上前身頃の内側脇の開口部から突出した紐とを、それぞれ左右の側面から背面に向かって渡し、両紐を背面で結ぶ。これにより、胴回りの絞り具合を調整することが可能となる。なお、上前身頃とは、左右の前身頃のうち、着衣時に人体の前面で重ね合わせたときに上になる前身頃をいい、下前身頃とは、左右の前身頃のうち、着衣時に人体の前面で重ね合わせたときに下になる前身頃をいう。典型的には、左右の前身頃のうち、着衣時に人体の左肩に当たる側を上前身頃とし、着衣時に人体の右肩に当たる側を下前身頃とするが、その逆の形態としてもよい。即ち、着衣時に人体の右肩に当たる側を上前身頃とし、着衣時に人体の左肩に当たる側を下前身頃としてもよい。
【００１１】
カシュクール型の検診衣は、甚平型の検診衣に比べ、胴囲が小さくなるため、例えば、女性等、体格の小さい受診者ややせ型の受診者等に適している。また、カシュクール型の検診衣は、両紐を背面で結ぶ際に、胴回りの絞り具合を調整することが可能であるため、甚平型に比べて更にフィット性が高く、より細かな体型の違いに合わせることが可能である。そのため、打ち合わせ部分の隙間やはだけを防止する効果がより高く、胸部のはだけや検診時の寒さ等が特に気になる女性の受診者等に適している。
【００１２】
また、ここで、甚平型とは、和装の甚平のように、前身頃が前面で打ち合わせられ、着衣時に左右の側面を紐で留める形態をいう。本発明による甚平型の検診衣では、下前身頃の端部に取り付けられた紐と上前身頃の内側に取り付けられた紐とを結び、上前身頃の端部に取り付けられた紐と下前身頃の外側に取り付けられた紐とを結ぶ。
【００１３】
甚平型の検診衣は、カシュクール型の検診衣に比べ、胴囲が大きくなるため、例えば、男性等、体格の大きい受診者や妊娠中の受診者等、腹部にふくらみがあり又は腹部にゆとりを持たせたい受診者等に適している。
【００１４】
受診者は自身の体型や検診内容、デザインの嗜好等に合わせて、同一の形状及びサイズの一枚の検診衣を甚平型にもカシュクール型にも変形することが可能である。また、カシュクール型では更に、胴回りのサイズを受診者の体型に合わせて調整することが可能である。従って、あらゆる体型の受診者が同じ形及びサイズの検診衣を使用することが可能となる。これにより、医療機関では、男性用、女性用、Ｓ、Ｍ、Ｌ等の複数のサイズを用意する必要がなく、単一もしくは少数の形及びサイズの検診衣を用意すればよいこととなる。
【００１５】
本発明の第１の態様では、上前身頃及び下前身頃からなる前身頃と、該前身頃に接続する後ろ身頃と、前記前身頃及び前記後ろ身頃の上端に設けられた襟部と、前記前身頃及び前記後ろ身頃の境界の上部に設けられた袖部とを有する検診衣であって、前記襟部の前記上前身頃側の端部に取り付けられた第１の紐と、前記下前身頃に取り付けられた第２の紐と、前記上前身頃に設けられ、前記第２の紐を挿通する第１の開口部と、を備え、前記第１の開口部から突出した前記第２の紐と、前記第１の紐とが前記後ろ身頃の外側又は、前記後ろ身頃の外側で交差されて前記前身頃の外側で結ばれることにより、胴囲を絞るようになっている検診衣を提供する。
【００１６】
また、本発明の第１の態様における検診衣であって、前記上前身頃の内側に取り付けられた第３の紐と、前記下前身頃の外側に取り付けられた第４の紐とを更に備え、前記第２の紐と前記第３の紐とが前記上前身頃の内側で結ばれ、前記第１の紐と前記第４の紐とが前記下前身頃の外側で結ばれる検診衣を提供する。これを第２の態様とする。
【００１７】
本発明の第２の態様では、上前身頃及び下前身頃からなる前身頃と、該前身頃に接続する後ろ身頃と、前記前身頃及び前記後ろ身頃の上端に設けられた襟部と、前記前身頃及び前記後ろ身頃の境界の上部に設けられた袖部とを有する検診衣であって、前記襟部の前記上前身頃側の端部に取り付けられた第１の紐と、前記下前身頃に取り付けられた第２の紐と、前記上前身頃の内側に取り付けられた第３の紐と、前記下前身頃の外側に取り付けられた第４の紐と、前記上前身頃に設けられ、前記第２の紐を挿通する第１の開口部と、を備え、前記第１の開口部から突出した前記第２の紐と、前記第１の紐とが前記後ろ身頃の外側又は、前記後ろ身頃の外側で交差されて前記前身頃の外側で結ばれる第１の形態と、前記第２の紐と前記第３の紐とが前記上前身頃の内側で結ばれ、前記第１の紐と前記第４の紐とが前記下前身頃の外側で結ばれる第２の形態とを選択可能である検診衣を提供する。
【００１８】
本発明の第１の態様又は第２の態様において、前記後ろ身頃に前記第４の紐を格納する第２の開口部を有するようにしてもよい。
【００１９】
本発明の第１の態様又は第２の態様において、前記第１及び２の紐の長さは前記第３及び第４の紐の長さよりも長いようにしてもよい。
【００２０】
本発明の第１の態様又は第２の態様において、前記第１の形態における胴囲は、前記第２の形態における胴囲よりも小さくなる。
【００２１】
本発明の第１の態様又は第２に態様において、前記上前身頃及び前記下前身頃の内側の検診衣の胸部に、厚みのある不織布シートを設けるようにしてもよい。
【００２２】
本発明の第１の態様又は第２の態様において、前記第１の開口部、前記第１の紐および前記第２の紐が第１の色で着色され、前記第３の紐および前記第４の紐が第１の色と異なる第２の色で着色されるようにしてもよい。
【００２３】
本発明の第１の態様又は第２の態様において、前記下前身頃の内側に、前記第４の紐を格納するための紐格納部を設けるようにしてもよい。
【００２４】
本発明の第１の態様又は第２の態様において、前記上前身頃の内側に、前記第３の紐を格納するための紐格納部を設けるようにしてもよい。
【発明の効果】
【００２５】
本発明によれば、カシュクール型にも甚平型にもなる検診衣を提供することにより、受診者の体型の大小や乳房の大小等の様々な体型の違いに柔軟に対応してフィットするという効果を奏する。また、受診者の体型にフィットする結果、検診中の前身頃の隙間やはだけを防止するという効果を奏する。
【００２６】
本発明による検診衣は、着衣時に、カシュクール型にも甚平型にも変形できる。カシュクール型では更に、検診衣の胴囲の長さを紐の締め具合により調整することが可能である。そのため、男女兼用とすることができ、受診者の身長、体重、体型等に関わらず、同一の検診衣を使用することができる。特にカシュクール型では、背中での紐の締め具合によって襟合わせの具合をきっちりフィットさせることができ、はだけたり着崩れたりするのを防止することが可能である。そのため、女性の受診者に安心感を与えることができる。
【００２７】
また、受診者は、検診の内容等によっても、カシュクール型か甚平型かを選択することが可能となる。同一の形状及びサイズの一枚の検診衣が、カシュクール型にも甚平型にもなるため、受診者は、検診の内容ごとに検診衣を着替える必要がなく、検診の途中であっても、同じ検診衣を使用して、容易にカシュクール型の検診衣とするか甚平型の検診衣とするかを変更することができる。
【００２８】
さらに、医療機関では、男性用のＳ、Ｍ、Ｌ、女性用のＳ、Ｍ、Ｌ等の多くのサイズの検診衣を用意する必要がなく、コストの削減につながる。また、検診衣を病院にリースするリネンサプライヤーにとっても管理しやすく、運用コストの削減につながる。製造過程においては、複数のサイズの検診衣を作製する必要がないため、製造コストの削減につながる。
本発明の他の目的、特徴及び利点は添付図面に関する以下の本発明の実施例の記載から明らかになるであろう。
【図面の簡単な説明】
【００２９】
【図１】（ａ）は本発明によるカシュクール型の検診衣の前面を示す図である。（ｂ）は本発明による甚平型の検診衣の前面を示す図である。
【図２】（ａ）は本発明によるカシュクール型の検診衣の背面を示す図である。（ｂ）は本発明による甚平型の検診衣の背面を示す図である。
【図３】（ａ）および（ｂ）は本発明による検診衣の上前身頃の内側を示す図である。
【図４】本発明による検診衣の前身頃の外側を示す図である。
【発明を実施するための形態】
【実施例１】
【００３０】
図１は、本発明による検診衣１０、１１の前面を示す図である。
本発明による検診衣１０、１１は、上前身頃２１及び下前身頃２２からなる前身頃２０と、前身頃２０に接続する後ろ身頃２３と、前身頃２０及び前記後ろ身頃２３の上端に設けられた襟部３１と、前記前身頃２０及び前記後ろ身頃２３の境界の上部に設けられた袖部３２とを有する。襟部３１の上前身頃２１側の端部には第１の紐４１が取り付けられる。また、上前身頃２１の内側には第３の紐４３が取り付けられ、下前身頃２２の外側には第４の紐４４が取り付けられる。
検診衣１０、１１は、同一の構成及びサイズを有するが、着衣時にカシュクール型の検診衣１０又は甚平型の検診衣１１に変形することができる。
【００３１】
図１の（ａ）は、本発明によるカシュクール型の検診衣１０の前面を示す図である。
本発明によるカシュクール型の検診衣１０を形成する場合には、上前身頃２１に取り付けられた第１の紐４１と下前身頃２２に取り付けられた第２の紐４２とを、それぞれ左右の側面から背面に向かって渡し、第１の紐４１及び第２の紐４２が背面で結ばれる。
上前身頃２１側に取り付けられた第１の紐４１は、下前身頃２２側の側面を下前身頃２２の外側を通って、背面へと渡される。下前身頃２２に取り付けられた第２の紐４２は、上前身頃２１に設けられた第１の開口部５１に挿通され、上前身頃２１側の側面を上前身頃２１の外側を通って、背面へと渡される。背面へと渡された第１の紐４１及び第２の紐は、例えば蝶々結び又は方結び等、２本の紐を結ぶ方法により、背面で結ばれる。
【００３２】
図２の（ａ）は、本発明によるカシュクール型の検診衣１０の背面を示す図である。上前身頃２１側に取り付けられた第１の紐４１と、下前身頃２２側に取り付けられた第２の紐４２が、検診衣の背面で結ばれる。これにより、後ろ身頃２２の胴囲の部分が検診者の体型に合わせて絞られる。
【００３３】
図１の（ｂ）は、本発明による甚平型の検診衣１１の前面を示す図である。
本発明による甚平型の検診衣１１を形成する場合には、下前身頃２２の端部に取り付けられた第２の紐４２と上前身頃２１の内側に取り付けられた第３の紐４３とを結び、上前身頃２１の端部に取り付けられた第１の紐４１と下前身頃２２の外側に取り付けられた第４の紐４４とが結ばれる。
下前身頃２２の端部に取り付けられた第２の紐４２は、上前身頃２１の内側で、上前身頃２１の内側に取り付けられた第３の紐４３と結ばれる。第２の紐４２及び第３の紐４３は、例えば蝶々結び又は方結び等、２本の紐を結ぶ方法により結ばれる。
上前身頃２１の端部に取り付けられた第１の紐４１は、下前身頃の外側で、下前身頃２２の外側に取り付けられた第４の紐４４と結ばれる。第１の紐４１及び第４の紐４４は、例えば蝶々結び又は方結び等、２本の紐を結ぶ方法により結ばれる。
【００３４】
図２の（ｂ）は、本発明による甚平型の検診衣１１の背面を示す図である。甚平型の検診衣１１では、カシュクール型の検診衣１０と異なり、後ろ身頃２２の胴囲の部分が絞られない。そのため、体型の大きい受診者や胴囲にゆとりを持たせたい受診者に特に適している。
【００３５】
下前身頃２２の外側に取り付けられた第４の紐４４は、カシュクール型の検診衣１０を形成する場合には使用されない。従って、第４の紐４４が下前身頃２２の外側にぶら下がったままとなり、見栄えを悪くしたり、検診中に引っかかるなどして邪魔になったりする可能性もある。そこで、第４の紐４４は、第２の開口部５２に挿通して、下前身頃２２の内側へ格納するようにしてもよい。その際、単に第４の紐４４を下前身頃２２の内側へ挿通のみでもよい。また、下前身頃２２の内側に第４の紐４４を格納するための紐格納部７０を設け、第２の開口部５２から挿通された第４の紐４４を紐格納部７０に格納するようにしてもよい。紐格納部７０は、ループ形状としてもよいが、これに限定されず、ポケット状にしてもよい。紐格納部７０に第４の紐４４を格納することにより、受診者が第４の紐４４を使用しないように誘導し、カシュクール型の着方を促す効果がある。
【００３６】
また、上前身頃２１の内側に取り付けられた第３の紐４３も、カシュクール型の検診衣１０を形成する場合には使用されない。従って、第３の紐４３が上前身頃２１の内側にぶら下がったままとなり、見栄えを悪くしたり、検診衣を脱着する際に素肌に触れて不快感を与えたりする可能性もある。そこで、上前身頃３の内側に第３の紐４３を格納するための紐格納部７１を設け、第３の紐４３を紐格納部７１に格納するようにしてもよい。紐格納部７１は、図３（ａ）に示すようなループ形状としてもよいが、これに限定されず、ポケット状にしてもよい。紐格納部７１に第３の紐４３を格納することにより、受診者が第３の紐４３を使用しないように誘導し、カシュクール型の着方を促す効果がある。
【００３７】
図３は、本発明による検診衣の上前身頃の内側を示す図である。図３の（ａ）は、本発明による典型的な検診衣における第１の紐４１、第２の紐４２、第３の紐４３、第４の紐４４の位置および第１の開口部５１、第２の開口部５２の位置を示す。
【００３８】
第１の紐４１は、襟部３１の上前身頃２１側の端部に取り付けられる。典型的には、第１の紐４１は、襟部３１の上前身頃２１側の端部の上端に取り付けられるが、これに限定されない。例えば、襟部３１の端部であれば、上端、中央、下端のいずれとしてもよい。また、第１の紐４１を襟部３１の端部ではなく、上前身頃２１の端部に取り付けるようにしてもよい。
【００３９】
第２の紐４２は、下前身頃２２の端部に取り付けられる。典型的には、第２の紐４２は、襟部３１の下前身頃２２側の端部の下に取り付けられるが、これに限定されない。例えば、第２の紐４２を襟部３１の下前身頃２２側の端部に取り付けるようにしてもよい。その際、襟部３１の端部であれば、上端、中央、下端のいずれとしてもよい。
【００４０】
第３の紐４３は、上前身頃２１の内側に取り付けられる。典型的には、第３の紐４３は、上前身頃２１と後ろ身頃２３の境界に取り付けられるが、これに限定されない。第３の紐４３は、上前身頃２１の内側の袖部３２の下に取り付けてもよいし、上前身頃２１の内側の縫い目周辺部分に取り付けるようにしてもよい。
【００４１】
第４の紐４４は、下前身頃２２の外側に取り付けられる。典型的には、第４の紐４４は、下前身頃２２と後ろ身頃２３の境界に取り付けられるが、これに限定されない。第４の紐４４は、下前身頃２２の外側の袖部３２の下に取り付けてもよいし、下前身頃２２の内側の縫い目周辺部分に取り付けるようにしてもよい。
【００４２】
第１の開口部５１は、上前身頃２１に設けられる。典型的には、上前身頃２１の縫い目部分に取り付けられるが、これに限定されない。また、第１の開口部５１は、例えば、図３の（ｂ）に示すように、上前身頃２１の縫い目部分や、上前身頃２１と後ろ身頃２３との境界以外の位置に設けてもよい。
【００４３】
第２の開口部５２は、下前身頃２２に設けられる。典型的には、下前身頃２２と後ろ身頃２３との境界に取り付けられるが、これに限定されない。第２の開口部５２は、下前身頃２２の袖部の下の縫い目部分に取り付けてもよい。
【００４４】
第１の開口部５１および第２の開口部５２は、典型的には、図３（ａ）に示すようなスリット形状を有するが、これに限定されない。上前身頃２１自体に穴を開けることにより設けてもよい。
【００４５】
第１の開口部５１および第２の開口部５２は、周囲と異なる色に着色することにより、その位置を視認しやすくするようにしてもよい。例えば、カシュクール型の検診衣の形態とする場合に用いる第１の開口部５１、第１の紐４１および第２の紐４２を第１の色で着色し、第３の紐４３および第４の紐４４を第１の色と異なる第２の色で着色するようにしてもよい。第１から第４の紐４１、４２、４３、４４は、それぞれの先端部分のみを着色してもよいし、一部又は全部を着色してもよい。
【００４６】
これにより、カシュクール型の検診衣として着用する場合には、第１の色で着色された第１の開口部５１、第１の紐４１および第２の紐４２を使用することが一目で分かりやすくなる。また、甚平型の検診衣として着用する場合には、第１の色で着色された第２の紐４２と第２の色で着色された第３の紐４３を結び、第１の色で着色された第１の紐４１と第２の色で着色された第４の紐４４を結ぶことが一目で分かりやすくなる。即ち、カシュクール型の検診衣として着用する場合には、同一の色の紐同士を結び、甚平型の検診衣として着用する場合には、異なる色の紐同士を結べばよいため、どの紐同士を結べばよいかを容易に理解することができる。
なお、第１の色および第２の色を使用した区別に代えて、着色以外の方法により目印を付けて、区別するようにしてもよい。
【００４７】
図１（ａ）、図１（ｂ）、図４の斜線で示された部分において、上前身頃２１及び下前身頃２２の裏地に、厚みのある素材からなる不織布パッド１５を設けてもよい。不織布パッド１５は、特に胸部について、検診衣が透けるのを防止する。不織布パッド１５は、不織布以外の素材のパッドに置き換えてもよい。
【００４８】
上前身頃２１には、受診者が小物等を格納することが可能な外面ポケット６３を設けてもよい。
【実施例２】
【００４９】
実施例１では、着衣時にカシュクール型と甚平型とを選択できる構成となっているが、第２の実施例では、第３の紐４３、第４の紐４４、第２の開口部５２、紐格納部７０、７１の全部又は少なくともいずれか１つを有しない構成とすることにより、カシュクール型のみを形成する検診衣としてもよい。
【実施例３】
【００５０】
実施例１では、着衣時にカシュクール型と甚平型とを選択できる構成となっているが、第３の実施例では、第１の開口部５１を設けないことにより、甚平型のみを形成する検診衣としてもよい。
【実施例４】
【００５１】
実施例１〜３のカシュクール型の検診衣および甚平型の検診衣は、典型的には、長ズボン、半ズボンやスカート等の下衣と組み合わせて使用するが、第４の実施例では、長ズボン、半ズボンやスカート等の下衣と組み合わせずに、ワンピースのように単体で着用できるものとしてもよい。
また、実施例１〜３のカシュクール型の検診衣および甚平型の検診衣は、典型的には、着衣時に受診者の腰から膝までの間の丈を有するが、第４の実施例では、着衣時に受診者の膝からくるぶしまでの間の丈を有するようにしてもよい。
上記記載は実施例についてなされたが、本発明はそれに限らず、本発明の精神と添付の請求の範囲の範囲内で種々の変更および修正をすることができることは当業者に明らかである。
【符号の説明】
【００５２】
１０  カシュクール型の検診衣
１１  甚平型の検診衣
１５  不織布パッド
２０  前身頃
２１  上前身頃
２２  下前身頃
２３  後ろ身頃
３１  襟部
３２  袖部
４１  第１の紐
４２  第２の紐
４３  第３の紐
４４  第４の紐
５１  第１の開口部
５２  第２の開口部
６３  外面ポケット
７０  紐格納部
７１  紐格納部
【図１】
2017008440.tif 000003
【図２】
2017008440.tif 000004
【図３】
2017008440.tif 000005
【図４】
2017008440.tif 000006